(57)【要約】【課題】原稿照射光量を増し、シートスルードキュメントフィーダの読取速度をアップさせ、読取生産性向上を可能にする。【解決手段】一体型光学走査ユニット４００の反射板は、筐体４０７と、可動の第２反射板ブラケット４１８に配置したものに二分してある。第２反射板ブラケット４１８は、原稿台ユニット４１９に可動可能な状態で係止する。第２反射板ブラケット４１８はシェーディング補正位置まで可動できる。ブック原稿読み取り時は、原稿台ユニット４１９の構成体の変形により、原稿読取モジュール４００との隙間が狭くなる可能性が考えられるが、その時は第２反射板ブラケット４１８が追従して移動しておらず、原稿台ユニット４１９と原稿読取モジュール４００の接触などは起こらない。【選択図】図８
2013236286.tif 000002
【特許請求の範囲】
【請求項１】
原稿からの反射光をイメージセンサへ結像する光学系を備えた原稿読取モジュールにおいて、
原稿読取モジュール本体に、原稿を照射するための光源を備えた光源ユニットを有し、
前記光源ユニットは、原稿読取位置に関して前記光源から射出された反射光を受ける部分に反射板を有し、
該反射板の一部を前記原稿読取モジュール本体に設けて第１の反射板とするとともに、
前記反射板の残部を、前記原稿読取モジュール本体と、該原稿読取モジュール本体上に配置する原稿台の間に可動に配する可動部材に設けて第２の反射板とし、
該可動部材を前記原稿台側に係止可能として該可動部材が備える前記第２の反射板が前記原稿読取モジュール本体の動作に追従して可動な構成としてなる、
ことを特徴とする原稿読取モジュール。
【請求項２】
請求項１に記載の原稿読取モジュールを用いた原稿走査ユニットであって、
搬送されつつある原稿を読み取る第１の透明部材と、原稿を載置して該原稿を読み取る第２の透明部材を備えるとともに、
前記原稿台上において前記第２の透明部材上に原稿を載置して原稿を読み取る時に、前記第２の反射板を前記原稿読取モジュール本体の動作に追従しないようにするロック機構を備えたことを特徴とする原稿走査ユニット。
【請求項３】
請求項２に記載の原稿走査ユニットにおいて、
前記原稿台上での原稿読取モードを判断する判断装置を備え、
該判断装置により前記原稿台上において前記第２の透明部材上に原稿を載置して原稿を読み取るモードと判断したときは、前記ロック機構をオンとするように、前記ロック機構のオン、オフを自動的に切り替えることを特徴とする原稿走査ユニット。
【請求項４】
請求項３に記載の原稿走査ユニットにおいて、
前記ロック機構が、ロック爪を前記第２の反射板を備えた可動部材に係止する構成を備えることを特徴とする原稿走査ユニット。
【請求項５】
請求項３に記載の原稿走査ユニットにおいて、
前記ロック機構が、電磁石や電磁ソレノイド等の電磁的機能を発揮する電磁的部材を備え、前記可動部材を該電磁的部材と電磁的に引き合う素材で形成してなることを特徴とする原稿読取モジュール。
【請求項６】
請求項１から５のいずれかに記載の原稿走査ユニットにおいて、
前記可動部材が、前記原稿台側に固定するための段付きネジを備え、前記原稿台が該段付きネジを挿通させるための長孔を有することを特徴とする原稿読取モジュール。
【請求項７】
請求項１から５のいずれかに記載の原稿走査ユニットにおいて、
前記可動部材が、前記原稿台側に固定するための爪体を備え、前記原稿台が該爪体を挿通させるための溝と、該溝の端部で前記爪体を係止するための凹部を有することを特徴とする原稿読取モジュール。
【請求項８】
請求項１から７のいずれかに記載の原稿走査ユニットにおいて、
原稿読取モードを判断し、前記ロック機構による前記可動部材の可動のオン、オフを自動的に切り替える判断装置を備えることを特徴とする原稿走査ユニット。
【請求項９】
請求項１に記載の原稿読取モジュール又は請求項２から８のいずれかに記載の原稿走査ユニットを有することを特徴とする画像読取装置。
【発明の詳細な説明】
【技術分野】
【０００１】
本発明は、原稿からの反射光をイメージセンサへ結像する光学系を備えた原稿読取モジュール、原稿走査ユニット、画像読取装置に関する。
【背景技術】
【０００２】
近年、ファクシミリ装置、複写機、これらの複合機等に設けるスキャナ装置等の画像読取装置では、画像読取装置の小型化のため、焦点距離を短くした光学系（短焦点光学系）を用いて二次元画像を読み取る画像読取装置ことが知られている。
【０００３】
しかしながら、従来の短焦点光学系を用いた読取装置では、原稿読取性能を維持したまま読取生産性（シートスルードキュメントフィーダの読取速度）を上げるためには、原稿照射光量を、特に原稿端部での光量を上げる必要がある。一方、現在の光源ユニットでは、原稿読取時可動するため、光源ユニットと原稿台との間に隙間が必要となり、この隙間に照射光の一部が漏れてしまい、原稿面の照射光量が低下してしまうため、シートスルー読取速度を上げにくいという問題がある。
【０００４】
特許文献１の図３には、光源の高効率化のため、光源の対向部分に反射板を設けて光源側の導光板形状を工夫することで光量アップ、照度分布の平坦化などを可能にした技術が開示されている。しかし、光源ユニットと原稿台との間に隙間はそのままであり、この隙間に照射光の一部が漏れてしまうことで原稿面の照射光量が低下してしまうという問題は解消できていない。
【０００５】
また特許文献２には、光源の高効率化のため、サブリフレクタ（第２反射板）を配置する技術が開示されている（例えば、同文献の段落００１０、００１１参照）。しかし、特許文献１と同様に、光源ユニットと原稿台との間に隙間はそのままであり、この隙間に照射光の一部が漏れてしまうことで原稿面の照射光量が低下してしまうという問題は解消できていない。
【発明の概要】
【発明が解決しようとする課題】
【０００６】
本発明は、上述した従来の問題点にかんがみ、原稿照射光量を増し、シートスルードキュメントフィーダの読取速度をアップさせ、読取生産性向上を可能にすることを目的とする。
【課題を解決するための手段】
【０００７】
本発明の原稿読取モジュールは、原稿からの反射光をイメージセンサへ結像する光学系を備えた原稿読取モジュールにおいて、原稿読取モジュール本体に、原稿を照射するための光源を備えた光源ユニットを有し、前記光源ユニットは、原稿読取位置に関して前記光源から射出された反射光を受ける部分に反射板を有し、該反射板の一部を前記原稿読取モジュール本体に設けて第１の反射板とするとともに、前記反射板の残部を、前記原稿読取モジュール本体と、該原稿読取モジュール本体上に配置する原稿台の間に可動に配する可動部材に設けて第２の反射板とし、該可動部材を前記原稿台側に係止可能として該可動部材が備える前記第２の反射板が前記原稿読取モジュール本体の動作に追従して可動な構成としてなることを特徴とする。
【発明の効果】
【０００８】
本発明によれば、光源ユニットと原稿台との間に隙間に、移動可能な第２反射板を設けることで原稿照射光量を増し、シートスルードキュメントフィーダの読取速度をアップさせ、読取生産性向上を図ることが可能になる。
【図面の簡単な説明】
【０００９】
【図１】本発明に係る照明ユニット、及びこれを用いた画像読取装置を搭載した画像形成装置の一例を示す斜視図
【図２】画像読取装置の一例を示す斜視図
【図３】図２に示した画像読取装置の内部の構成例を示す斜視図
【図４】一体型走査光学ユニットの一例を示す断面図
【図５】第２反射板ブラケットの可動システムについて示す図
【図６】第２反射板ブラケットの可動システムについて示す図
【図７】第２反射板ブラケットの可動システムについて示す図
【図８】第２反射板ブラケットのロック機構の一例について示す図
【図９】第２反射板ブラケットのロック機構の一例について示す図
【発明を実施するための形態】
【００１０】
本発明の実施の形態を説明する。本実施形態は、原稿照射機能のための光源ユニットが原稿面を照射するに際して、以下の特徴を有する。すなわち、光源ユニットと原稿台との間に隙間に、移動可能な第２反射板を設け、従来使用されることがなかった照射光量の一部を原稿面に反射させるというものである。
【００１１】
以下、本発明の実施形態を図面を参照して説明する。
図１は、本発明の実施対象となる画像形成装置の一例を示す図である。図示の画像形成装置１０１は、画像読取装置１０２、および、その上部に原稿搬送装置１０３を備えている。また図２は、画像読取装置１０２の一例を示す斜視図である。図示の画像読取装置１０２は、スキャナカバー部２０１と、スキャナフレーム部２０２とで構成されている。スキャナカバー部２０１は、原稿搬送装置１０３により搬送される原稿を読み取るための平板な透明部材であるコンタクトガラス２０３ａと、原稿搬送装置１０３の下側で原稿を載置して原稿を読み取るための同じく平板な透明部材であるコンタクトガラス２０３ｂを備えている。さらに図３は、図２に示した画像読取装置１０２の内部の構成例を示す斜視図である。この画像読取装置１０２内には、図示していない照明、レンズ、イメージセンサ、ミラー、イメージセンサ基板を保持した一体型走査光学ユニット３０１、および、その走行時に使用するガイドロッド３０２、レール３０３等が設けてある。
【００１２】
図４は、上述のような画像形成装置、画像読取装置で用いる一体型走査光学ユニットの一例について示す図である。なお、図４以降の図においては、図２、図３と左右方向が逆になっている。
【００１３】
図４に示した原稿読取モジュールである一体型光学走査ユニット４００（図２、図３の一体型走査光学ユニット３０１相当）は、シートスルードキュメントフィーダガラス４１７（図２のコンタクトガラス２０３ａに対応）上を搬送される通紙原稿４１６を照射する光源ユニット４０１及び反射板４２０を有する。また一体型光学走査ユニット４００は、通紙原稿４１６からの反射光をイメージセンサ４０５に導くミラー群４０２、およびその反射光を結像するレンズ群４０３、４０４をレンズユニット受台４０９に備えている。例えばＣＣＤやＣＭＯＳなどを用いるイメージセンサ４０５は基板４０６に実装してあり、イメージセンサ調整／固定ブラケット４１０を介し、レンズユニット受台４０９に配置したレンズユニット４２１を有する。なお以下では、ドキュメントフィーダをＤＦと略記載する。
【００１４】
反射板４２０は、一体型光学走査ユニット４００を構成するための筐体４０７に設けたもの（符号４２０ａで示す）と、一体型光学走査ユニット４００に同調して可動できる第２反射板ブラケット４１８に配置したもの（符号４２０ｂで示す）とに図示のように二分してある。第２反射板ブラケット４１８は、原稿台ユニット４１９に可動可能な状態で係止する（図４（Ｂ）参照）。
【００１５】
原稿読み取り前に行うシェーディング補正のための白基準板４１４は、一体型光学走査ユニット４００がブック原稿を読み取る時に動作を行う方向の（図中左側の）コンタクトガラス２０３の上面に配置してある。
【００１６】
また、第２反射板ブラケット４１８は、適宜の駆動手段によりシェーディング補正位置まで可動できるようになっている。シートスルーＤＦガラス４１７を用いてシートスルーＤＦ読み取りを行う際は、原稿は図示しないＤＦによって搬送されてくるため、原稿台ユニット４１９の構成体に変形などが起こることはないが、ブック原稿読み取り時は、ユーザーがブック原稿をコンタクトガラス２０３の上面側から押さえる等するため、原稿台ユニット４１９の構成体の変形により、一体型光学走査ユニット４００との隙間が狭くなる可能性が考えられるが、ブック原稿読み取り時は、可動の第２反射板ブラケット４１８が追従しないため、後述するように、原稿台ユニット４１９の構成体と一体型光学走査ユニット４００の接触などの不具合が起こる心配がない。
【００１７】
図５〜図７は、上述した第２反射板ブラケット４１８の可動システムについて示す図である。
図５は、一体型光学走査ユニット４００がシートスルーＤＦ画像読取位置にあるときの状態を示した図である（図４は同じ状態を示した図でもある）。第２反射板ブラケット４１８は、原稿台ユニット４１９に固定用段付きネジ５０２によって可動できるように係止してあり、図６に示すように、引っ張りスプリング５０１によって、常時、一体型光学走査ユニット４００の筐体４０７に押圧付勢（付勢方向を矢印Ｆで示す）してあり、第２反射板ブラケット４１８に付随する反射板４２０は一体型光学走査ユニット４００がシェーディング補正のために白基準板４１４と常に同じ位置関係を保ち続けることができるようになっている。
【００１８】
なお引っ張りスプリング５０１の両端を支持するために第２反射板ブラケット４１８と原稿台ユニット４１９にピン５０３、５０４を設けるが、第２反射板ブラケット４１８側のピン５０４を可動にするため、原稿台ユニット４１９には長孔５０５が設けてあり、また、固定用段付きネジ５０２を設けるため、第２反射板ブラケット４１８と原稿台ユニット４１９には長孔５０６を設けてある。ただし、図７に示すように、第２反射板ブラケット４１８と原稿台ユニット４１９の係止は、第２反射板ブラケット４１８に爪体５０７を設け、原稿台ユニット４１９にはＬ字形の溝５０８を設けるなど、段付きネジ以外の方法等でも可能である。溝５０８の端部５０９で爪体５０７を係止することになる。
【００１９】
図８、図９は、第２反射板ブラケット４１８のロック機構の一例について示す図である。
図８はブック原稿読み取り時の第２反射板ブラケット４１８のロック時を示した図である。図中に一点鎖線で囲んだ部位に第２反射板ブラケットロック機構６００を配置する。すなわち、図８には具体的には示していない第２反射板ブラケットロック機構６００（図９参照）により、第２反射板ブラケット４１８は一体型光学走査ユニット４００の退避位置にロックされた状態となり、ブック原稿読み取り時のシェーディング補正時にも追従することはない。
【００２０】
図９（Ａ）は第２反射板ブラケットロック機構の一例を示した図であり、ロック爪６０１を第２反射板ブラケット４１８に噛ませる（例えば第２反射板ブラケット４１８に穴を設けておき、ロック爪６０１の先端を挿入する）ことにより、一体型光学走査ユニット４００の動きに追従することがないようにしている。
【００２１】
また図９（Ｂ）は第２反射板ブラケットロック機構の他の例を示した図であり、電磁石（電磁ソレノイド等の他の電磁的機能を発揮する部材でも良い）６０２を用いるとともに、第２反射板ブラケット４１８には電磁石と引き合う材質のものを用いることで、ユーザーがブック原稿読み取りモードを選択した際に自動的に通電することにより、第２反射板ブラケット４１８が固定されるため、一体型光学走査ユニット４００の動きに追従することがないようにしている。
【００２２】
すなわち第２反射板ブラケット４１８はシェーディング補正時までは一体型光学走査ユニット４００の動きに追従するが、ブック原稿読取時には追従しないため、シェーディング補正値に誤りが生じてしまうことがなく、シェーディング補正を正確に行うことができる。
【００２３】
なお図示は省略するが、原稿読取モードを判断する判断装置あるいは制御装置等によって、第２反射板ブラケット４１８の第２反射板ブラケットロック機構６００のオン、オフを自動的に切り替えることも可能であり、ユーザーの手を煩わせることなく第２反射板ブラケット４１８を固定することができる。
【００２４】
また本発明は以上説明した実施形態に限定されるものではなく、多くの変形が本発明の技術的思想内で当分野において通常の知識を有する者により可能である。
【符号の説明】
【００２５】
１０１    ：画像形成装置
１０２    ：画像読取装置
１０３    ：原稿搬送装置
２０１    ：スキャナカバー部
２０２    ：スキャナフレーム部
２０３、２０３ａ  ：コンタクトガラス
３０１    ：一体型走査光学ユニット
３０２    ：ガイドロッド
３０３    ：レール
４００    ：一体型光学走査ユニット
４０１    ：光源ユニット
４０２    ：ミラー群
４０３    ：レンズ群
４０５    ：イメージセンサ
４０６    ：基板
４０７    ：筐体
４０９    ：レンズユニット受台
４１０    ：固定ブラケット
４１４    ：白基準板
４１６    ：通紙原稿
４１７    ：シートスルードキュメントフィーダガラス
４１８    ：第２反射板ブラケット
４１９    ：原稿台ユニット
４２０    ：反射板
４２１    ：レンズユニット
５０１    ：スプリング
５０２    ：ネジ
５０３、５０４    ：ピン
５０５、５０６    ：長孔
５０７    ：爪体
５０８    ：溝
５０９    ：溝の端部
６００    ：第２反射板ブラケットロック機構
６０１    ：ロック爪
【先行技術文献】
【特許文献】
【００２６】
【特許文献１】特開２０１１−０７１６０８号公報
【特許文献２】特開２００２−３３０２６４号公報
【図１】
2013236286.tif 000003
【図２】
2013236286.tif 000004
【図３】
2013236286.tif 000005
【図４】
2013236286.tif 000006
【図５】
2013236286.tif 000007
【図６】
2013236286.tif 000008
【図７】
2013236286.tif 000009
【図８】
2013236286.tif 000010
【図９】
2013236286.tif 000011